(57)【要約】  ＯＦＤＭＡ技術を用いるスーパフレームの特定のフレームは、スーパフレームヘッダのシステム構成情報を含む。このスーパフレームヘッダは、フレームの最初のプリアンブルから固定値分、オフセットされて設けられてよい。幾らかの実施形態では、システム構成情報は、スーパフレームヘッダのブロードキャストチャネルセクションに設けられてよい。幾らかの実施形態では、特定のフレームは、レガシーＯＦＤＭＡフレームと時間的に重複しておりＯＦＤＭＡサブチャネルに設けられることで、２つのフレームが幾らかの時間およびサブチャネルリソースを共有してよい。【選択図】図１
2011509563.tif 000002
【特許請求の範囲】
【請求項１】
プロセッサと、前記プロセッサに連結されたメモリと、前記プロセッサに連結されて直交周波数分割多重アクセス（ＯＦＤＭＡ）ワイヤレスネットワークの複数のサブチャネルを介して無線通信する無線機器とを有する通信デバイスを備え、
前記通信デバイスは、ワイヤレス通信ネットワークにおける通信用の連続する複数のフレームを含むスーパフレームを処理し、
前記複数のフレームの最初のフレームは、前記ネットワーク用のシステム構成情報を、前記最初のフレームの予め定められた位置に含む装置。
【請求項２】
前記予め定められた位置は、レガシーフレームのプリアンブルの冒頭から予め定められた数のシンボル分、オフセットされている請求項１に記載の装置。
【請求項３】
前記予め定められた位置は、スーパフレームヘッダのブロードキャストチャネルセクション内にある請求項２に記載の装置。
【請求項４】
前記スーパフレームヘッダは、前記フレームに設定されている最小所要帯域幅内のサブチャネルのみに含まれる請求項３に記載の装置。
【請求項５】
前記無線機器に連結された複数のアンテナを備える請求項１に記載の装置。
【請求項６】
前記システム構成情報の特定のアイテムは、ｎ個のスーパフレーム毎のみに含まれ、ｎは整数である請求項１に記載の装置。
【請求項７】
ネットワークデバイスで、直交周波数分割多重アクセス（ＯＦＤＭＡ）技術を用いてワイヤレス通信ネットワークにおける通信用の連続する複数のフレームを含むスーパフレームを処理する段階を備え、
前記複数のフレームのうちの特定のフレームは、前記ネットワーク用のシステム構成情報を、最初のフレームの予め定められた位置に含む方法。
【請求項８】
前記特定のフレームは、レガシーフレームと時間的に重複しておりＯＦＤＭＡサブチャネル内にあり、前記特定のフレームは、前記レガシーフレームのプリアンブルとは時間的に別のプリアンブルを含み、
前記特定のフレームの前記プリアンブルは、前記レガシーフレームの前記プリアンブルから予め定められた数のＯＦＤＭＡシンボル分、オフセットされている請求項７に記載の方法。
【請求項９】
前記予め定められた位置は、スーパフレームヘッダのブロードキャストチャネルセクション内にある請求項７に記載の方法。
【請求項１０】
前記スーパフレームヘッダは、前記フレームに設定されている最小所要帯域幅内のサブチャネルのみに含まれる請求項９に記載の方法。
【請求項１１】
特定のシステム構成情報が、ｎ個のスーパフレーム毎という間隔で含まれ、各ｎ個のスーパフレームの間のスーパフレームには含まれず、ｎは整数である請求項７に記載の方法。
【請求項１２】
前記処理する段階は、
基地局から送信される前記スーパフレームを処理する段階を有する請求項７に記載の方法。
【請求項１３】
前記処理する段階は、
加入者局で受信されるスーパフレームを処理する段階を有する請求項７に記載の方法。
【請求項１４】
前記処理する段階は、
対象基地局用の前記システム構成情報の検査の一部である請求項１３に記載の方法。
【請求項１５】
前記処理する段階は、
ネットワークへの再参加のための前記システム構成情報の検査の一部である請求項１３に記載の方法。
【請求項１６】
前記処理する段階は、
スーパフレームヘッダを含む前記スーパフレーム内の前記特定のフレームのみに行われる請求項１３に記載の方法。
【請求項１７】
物品であって、
命令を有する有体の機械可読媒体を備え、
前記命令は、１以上のプロセッサにより実行されると、
ネットワークデバイスで、直交周波数分割多重アクセス（ＯＦＤＭＡ）技術を用いてワイヤレス通信ネットワークにおける通信用の連続する複数のフレームを含むスーパフレームを処理する動作を行わせ、
前記複数のフレームのうちの最初のフレームは、前記ネットワーク用のシステム構成情報を、前記最初のフレームの予め定められた位置に含む物品。
【請求項１８】
前記最初のフレームは、レガシーフレームと時間的に重複しており、ＯＦＤＭＡサブチャネル内にあり、
前記最初のフレームは、前記レガシーフレームのプリアンブルから、予め定められた数のＯＦＤＭＡシンボル分、遅延させられたプリアンブルを含む請求項１７に記載の物品。
【請求項１９】
前記予め定められた位置は、スーパフレームヘッダのブロードキャストチャネルセクション内にあり、
前記ブロードキャストチャネルセクションは、前記最初のフレームのプリアンブルから、予め定められた数のＯＦＤＭＡシンボル分、離れている請求項１７に記載の物品。
【請求項２０】
前記スーパフレームヘッダは、前記フレームに設定されている最小所要帯域幅内のサブチャネルのみに含まれる請求項１９に記載の物品。
【請求項２１】
特定のシステム構成情報が、ｍ個のスーパフレーム毎という間隔で含まれ、各ｍ個のスーパフレームの間のスーパフレームには含まれず、ｍは整数である請求項１７に記載の物品。
【請求項２２】
前記処理する動作では、基地局から送信される前記スーパフレームが処理される請求項１７に記載の物品。
【請求項２３】
前記処理する動作では、加入者局で受信されるスーパフレームが処理される請求項１７に記載の物品。
【請求項２４】
前記処理する動作は、対象基地局用の前記システム構成情報の検査の一部である請求項２３に記載の物品。
【請求項２５】
前記処理する動作は、ネットワークへの再参加のための前記システム構成情報の検査の一部である請求項２３に記載の物品。
【発明の詳細な説明】
【背景技術】
【０００１】
モバイルＷｉＭＡＸ（Worldwide Interoperability for Microwave Access）は、ＩＥＥＥ８０２．１６ｅ−２００５で改定されたＩＥＥＥ８０２．１６−２００４（以降「ＩＥＥＥ８０２．１６ｅ」と称する）（２００６年２月２８日公布）に基づくブロードバンドワイヤレスアクセス技術である。モバイルＷｉＭＡＸは、スケーラブルなＯＦＤＭＡ（直交周波数分割多重アクセス）スキームを利用して、モバイル端末にワイヤレスブロードバンドパケットデータサービスを配信する。モバイルＷｉＭＡＸでは、システム構成情報は、基地局（ＢＳ）から複数の加入者局（ＳＳ）へと、ダウンリンクチャネル記述子（ＤＣＤ）メッセージおよびアップリンクチャネル記述子（ＵＣＤ）メッセージを用いて送信される。ＤＣＤメッセージおよびＵＣＤメッセージは、通常は時分割多重（ＴＤＤ）フレームのダウンリンクセクションに含まれており、周波数分割多重（ＦＤＤ）システムにおいても同様にダウンリンクフレームに含まれており、そのセクションにおける位置はダウンリンク媒体アクセスプロトコル（ＭＡＰ）の情報エレメント（ＩＥ）により示される。この情報を取得するべく、ＳＳは無線フレーム上で同期して、フレーム制御ヘッダ（ＦＣＨ）およびダウンリンク（ＤＬ）ＭＡＰを受信および復号した後に、システム構成情報（ブロードキャストチャネル（ＢＣＨ）とも称される）が位置しているダウンリンクバーストを処理して受信する必要がある。これは、ＳＳが現在のＢＳへの添付に関する決定を行うことができるときとも一致する。ＤＣＤ／ＵＣＤは、ＳＳの標準処理には不要な幾らかのオプションのフィールドを含み、ＤＣＤ／ＵＣＤのある情報が繰り返される、および／または、更新されるレートはフィールドごとに異なる。ＤＣＤ／ＵＣＤメッセージのサイズが大きいことから、この情報は定期的に大きな間隔でブロードキャストされる。ＳＳは、システム構成情報またはブロードキャストチャネルの取得に成功するまでは、ネットワークへの参加／再参加が許されない。スキャン待ち時間は、初期化時間が長引くことにより長くなる傾向にあり、ＳＳはＤＣＤ／ＵＣＤ取得中により多くの電力を消費することになる。
【図面の簡単な説明】
【０００２】
本発明の幾らかの実施形態は、本発明の実施形態を示す以下の記載および添付図面を参照することにより理解される。
【０００３】
【図１】本発明の一実施形態によるワイヤレス通信ネットワークを示す。
【図２Ａ】本発明の一実施形態によるスーパフレームの、フレームへの、サブフレームへの、およびＯＦＤＭＡシンボルへの分割を示す。
【図２Ｂ】本発明の一実施形態によるＯＦＤＭＡフレームの、レガシーダウンリンクおよびアップリンクゾーンへの、および新たなダウンリンクおよびアップリンクゾーンへの分割を示す。
【図３】本発明の一実施形態によるスーパフレームの分割を示す。
【図４】本発明の一実施形態によるスーパフレームヘッダに含まれるシステム構成情報を示すテーブルを示す。
【図５】本発明の一実施形態によるワイヤレス通信デバイスを示す。
【図６Ａ】本発明の一実施形態によるシステム構成情報を取得する／利用する際のフロー図を示す。
【図６Ｂ】本発明の一実施形態によるシステム構成情報を取得する／利用する際のフロー図を示す。
【図６Ｃ】本発明の一実施形態によるシステム構成情報を取得する／利用する際のフロー図を示す。
【発明を実施するための形態】
【０００４】
以下の記載で多くの詳細を述べる。しかし、本発明の実施形態は、これら特定の詳細なしに実行することもできることを理解されたい。他の場合には、公知の回路、構造、および技術は詳細に示さないことで、本記載の理解を曖昧にしないようにしている箇所もある。
【０００５】
「一実施形態」「実施形態」「例示的実施形態」「様々な実施形態」等の言い回しは、記載される本発明の実施形態が、特定の特徴、構造、または特性を有してよいが、全ての実施形態がこれら特定の特徴、構造、または特性を必ず含まなくてはならないということではない。さらに、幾らかの実施形態では、他の実施形態に関して記載される特徴のうちの幾らかを含んでも、または全てを含んでもよく、あるいは全く含まなくてもよい。
【０００６】
以下の記載および請求項において、「連結されている（coupled）」および「接続（connected）」という用語が、それぞれの派生語とともに利用される場合がある。これら用語は同義語を意図していないことがあるので留意されたい。特定の実施形態では「接続されている」は、２以上の部材が物理的または電気的に直接接触していることを示すのに用いられる。「連結されている」は、２以上の部材が協働もしくは相互作用するが、物理的または電気的に直接接触していても、いなくてもよい場合に用いられる。
【０００７】
請求項では、そうではないと明記していない限り、「第１」「第２」「第３」等の、共通の部材の順列を表す形容詞は、単に同様の部材の異なるインスタンスのことを言及しているにすぎず、記載されている部材同士が、時間的、空間的、順位的に、またはその他の任意の種類におけるシーケンスにあることを示しているわけではない。
【０００８】
本発明の様々な実施形態は、ハードウェア、ファームウェア、およびソフトウェアのいずれか、またはこれらのうちの任意の組み合わせにより実装可能である。本発明はさらに、機械可読媒体内の、または機械媒体上の命令として実装されてもよく、これら命令が１以上のプロセッサにより読み取られて実行されることにより、ここで記載する動作が行われるものであってよい。機械可読媒体は、機械（例えばコンピュータ）が可読な形態で情報を格納、送信、および／または、受信する任意のメカニズムを備えることができる。例えば、機械可読媒体は、有体の記憶媒体（ＲＯＭ、ＲＡＭ、磁気ディスク記憶媒体、光学記憶媒体、フラッシュメモリデバイス等を含むがこれらに限定されない）を含むことができる。機械可読媒体はさらに、命令を符号化するべく変調された伝播信号（電磁搬送波信号、光搬送波信号、または音声搬送波信号を含むがこれらに限定されない）を含むこともできる。
【０００９】
「ワイヤレス」という用語およびその派生語は、変調電磁放射を非固体媒体により利用することによりデータを通信する回路、デバイス、システム、方法、技術、通信チャネルを示す。この用語は、関連デバイスがワイヤを全く含まないという意味ではないが、幾らかの実施形態では含まないこともある。「モバイルワイヤレスデバイス」という用語は、通信中に移動していてよいワイヤレスデバイスのことを示す。
【００１０】
本発明の様々な実施形態では、ＯＦＤＭＡワイヤレスネットワーク（例えばモバイルＷｉＭＡＸネットワーク）用の構成情報が、スーパフレームのヘッダフィールドに配置されてよい（フレームのダウンリンクデータセクション内の従来の位置ではなくて）。この情報をフレーム中の先行する固定位置に配置することによって、この情報を必要とする加入者局の処理時間および電力節約につながりうる。さらに、情報を予測可能な間隔で（例えばｎ個のスーパフレーム毎に）繰り返すことによってシステム構成取得手順を単純化することにより情報取得における効率性を上げることができるだろう。
【００１１】
図１は、本発明の一実施形態によるワイヤレス通信ネットワークを示す。ネットワーク１００では、新たな基地局（Ｎ−ＢＳ）１１０が、複数の加入者局（ＳＳ）との通信を制御してよい。「新たな」という意味は、基地局がここで記載する新規な特徴の幾らかまたは全てを有するということである。新たな加入者局（Ｎ−ＳＳ）１２０も、ここで記載する新規な特徴の幾らかまたは全てを有することで、Ｎ−ＢＳ１１０の新規な機能を活用することができる。これら機能を有する基地局は、さらに、これら機能に対応していないレガシー加入者局と通信することもできるので、レガシー加入者局（Ｌ−ＳＳ）１３０もネットワークに示されている。図示されているネットワークでは、基地局Ｎ−ＢＳ１１０と加入者局Ｎ−ＢＳ１３０およびＬ−ＳＳ１２０間の通信は、ＯＦＤＭＡ技術を利用しており、この技術では、各々が異なる周波数で動作する複数のサブチャネルが同時に送受信することができる。ＯＦＤＭＡの基本コンセプトは、当業者には公知であるのでここでは繰り返さない。
【００１２】
図２Ａおよび図２Ｂは、本発明の一実施形態によるスーパフレームの、フレームへの、サブフレームへの、およびＯＦＤＭＡシンボルへの分割を示す。１つのスーパフレームは、シリアル形式に合計された無線フレームの整数倍からなり、各フレームは先行するフレームの直後から開始される。各スーパフレームは、第１のフレームのスーパフレームヘッダ（ＳＦＨ）から開始されてよく、ＳＦＨはシステム構成情報、ページング、その他のブロードキャスト情報を含みうる。図の例には、４つのフレームを有するスーパフレームが示されている。幾らかの配置例では、ＳＦＨの特定のコンテンツ（例えば、特定の種類のネットワーク構成情報）が、「ｎ」個のスーパフレーム毎、という間隔で繰り返される（ｎは整数である）。
【００１３】
各フレームのコンテンツは、全体として特定パターンに則ってよい（図２Ｂの下部に一般的なセクションを示す）。従来のＯＦＤＭＡ  ＴＤＤ（時分割多重）フレームでは、フレームの最初の部分がダウンリンクセクションと称され、最後の部分がアップリンクセクションと称され、スイッチポイントというアイドル期間で区切られていてよい。したがって、示されているセクションは、概して、レガシーダウンリンク（Ｌ−ＤＬ）、新たなダウンリンク（Ｎ−ＤＬ）、レガシーアップリンク（Ｌ−ＵＬ）、新たなアップリンク（Ｎ−ＵＬ）ゾーンと称される。他の実施形態では、レガシーによるサポートが必要ない場合、全ダウンリンクまたはアップリンクセクションを「新た」であるとすることもできる。各フレームは８つのサブフレーム（ＳＦ）に分割されているが、他の実施形態で含まれるサブフレームの数はこれとは異なっていてもよい。これらフレームのダウンリンクおよびアップリンクセクション間での分配は、相対的なダウンリンクおよびアップリンクトラフィック量に応じてフレームによって変化させることができる。ＴＤＤフレームのコンテンツについては図３で詳述する。本発明はＴＤＤおよびＦＤＤ多重スキーム両方に同等に利用可能であり、ＴＤＤフレームを利用する例が制限として解釈されるべきではないことに留意されたい。
【００１４】
図３は、本発明の一実施形態によるＯＦＤＭＡ  ＴＤＤフレームを示す。この新たなフレームは、ＯＦＤＭＡ  ＴＤＤフレームで通常利用されるグラフィック形式で示されており、ｙ軸が複数のサブチャネルで表される周波数を示し、ｘ軸がシンボルで表される時間を示す。個々のサブチャネルおよび個々のシンボルはその量が変化しうるので特に示していない。図示されているスーパフレームは４つのフレームを含み、各フレームが他のフレームと同じ基本セクションを含み、同じ内部時間関係を有するが、スーパフレームヘッダだけは例外的にスーパフレームの最初のフレームのみに示されている。フレームは、レガシーＳＳおよび新たなＳＳ両方で利用できるように設計されていてよく、このフレームはレガシーＳＳと互換性を有する部分から開始される。フレームはレガシープリアンブルから開始され、これによりレガシーＳＳが信号上で同期することができる。新たなＳＳ同士は後方互換性を有することが期待されており、レガシープリアンプルで同期してフレーム内の他のレガシーセクションを正確に解釈することができるようにすることができるが、これは本発明の様々な実施形態で必須の要件ではなくてもよい。レガシープリアンブルの次にはレガシー制御チャネルが続き、レガシー制御チャネルは、特に図示していないダウンリンクマップ（ＤＬ−ＭＡＰ）およびアップリンクマップ（ＵＬ−ＭＡＰ）を含んでよいが、ここには、レガシーＤＬゾーンの何処に（シンボルおよびサブチャネルに）指定されたＳＳに対して送信するパケットがあるかを示すポインタが含まれていてよい。ＵＬ−ＭＡＰは、レガシーＵＬゾーンの何処に（シンボルおよびサブチャネルに）指定されたＳＳがＢＳにパケットを送信するかを示すポインタを含む。場合によっては、ＤＬ−ＭＡＰおよび／またはＵＬ−ＭＡＰは、さらに、レガシーＤＬゾーンの何処に実際のデータパケット位置を示す別のポインタがあるかを示す間接ポインタを含むこともできる。
【００１５】
新たなＤＬゾーンおよび新たなＵＬゾーンは、ここで記載する新たな特徴を利用することのできる新たなＳＳ専用とみなされる。一般的には、レガシーＳＳは、単にこれら領域を無視する（これら領域のポインタをＤＬ−ＭＡＰまたはＵＬ−ＭＡＰで受信しないからである）。新たなＳＳを無線フレームおよび送受信ダウンリンク／アップリンクトラフィック上で同期させるべく、新たなプリアンブル（ＮＰ）をＤＬフレーム（つまり、ＦＤＤシステムのＤＬフレームまたはＴＤＤフレームのＤＬセクション）に含ませる。新たなプリアンブルは、新たな無線フレーム境界の開始を示す。従って、レガシーフレームおよび新たなフレームは時間的に重複するが（図３参照）、レガシーＳＳは、新たなＳＳ専用のレガシーフレームの期間は無視し、新たなＳＳはレガシーＳＳ専用の新たなフレームの期間は無視する（または、レガシーデータをも処理するよう構成されている場合には参加する）。上述したように、新たなスーパフレームヘッダ（ＳＦＨ）は、システム構成情報（ＳＣＩ）を含んでよく、各スーパフレームの最初のフレームに含まれていてよい。幾らかの実施形態では、スーパフレームの最初のフレームは、ＳＦＨを含むフレームとして定義される。ＳＦＨは、時間領域で新たなプリアンブルに対する固定位置に設けられてよい。幾らかの実施形態では、このシステム構成情報は、ＳＦＨ内のブロードキャストチャネル（ＢＣＨ）セクションに設けられてよい。
【００１６】
新たなプリアンブルにより、新たなＳＳが無線フレームと同期することができ、現在のフレームがスーパフレームの最初のフレームである場合には、直後のシンボルがＳＦＨを含むことが示される。ＳＦＨは、搬送する情報量に応じて、時間領域の１、２、またはこれ以上の数のＯＦＤＭＡシンボルを占有してよい。この配置は、新たなＤＬゾーンの冒頭に相当していてもいなくてもよい（図２Ｂ参照）。このばらつきは、スーパフレームのプリアンブルの配置が新たなフレームでは固定されている場合があることによるものであるが、新たなＤＬゾーンの冒頭は、現在のフレームのダウンリンクまたはアップリンクサブフレームで予定されている新たなトラフィックとレガシートラフィックとの比率に応じてフレーム毎に変化させることができる。ＳＦＨ（またはブロードキャストチャネル）を、新たなフレームの予め定められた且つ固定された位置に配置することにより、新たなＳＳの受信時には、新たなフレームへの同期に続いてシステム構成情報を取得することができ、これにより、初期化において幾らか不要なステップを省くことができるようになり、処理データ量が低減することにより節電に繋がる。
【００１７】
幾らかの実施形態では、無線フレームは、新たなＳＳのみに設計されていてよく、レガシーＳＳには対応させない。これらの実施形態では、フレームのレガシー部分を省くことができ、スーパフレームプリアンブルは、フレームの冒頭に設けることができる。
【００１８】
新たなプリアンブルおよびスーパフレームヘッダは、フレームにおいて利用可能なサブチャネルのサブセットの利用のみが可能であり、これらサブチャネルは中央周波数に位置している（図３参照）。幾らかの実施形態では、この目的に利用されるサブチャネル数は、フレームに設定されている最小帯域幅に対応するサブチャネル数以下である（ＳＳのなかには、少ない数のサブチャネルのみを処理するものもあり、最小帯域幅はこれらＳＳのために指定されている）。新たなプリアンブルおよびスーパフレームヘッダをこの最小帯域幅に制限することにより、これらＳＳは、自身の無線周波数帯域幅による性能制約に関わらず、新たなプリアンブルおよびブロードキャストチャネルを確実に復号することができるようになる。ＢＳは、処理できないサブチャネルをこれらデバイスに割り当てさせないようにする役割を担う。
【００１９】
図４は、本発明の一実施形態によるスーパフレームヘッダに含まれるシステム構成情報を示すテーブルを示す。このテーブルに示されているコンテンツは例示であり、他の実施形態ではこれ以上の、これ以下の数のフィールドを含んでもよく、および／またはこれとは異なるフィールドを含んでもよい。示されているフィールドは、さらに、必須のシステム構成情報（ＭＳＣＩ）として、または、普遍的な利便性を有することからテーブルの全てのインスタンスに含まれるべき情報として示されていてよい。しかし、幾らかのテーブルは、さらに、構成に依存するシステム構成情報（ＣＳＣＩ）、または、特定の構成または配置例においてのみ利便性を有する情報を含むこともできる。様々な処理の処理用に、ＢＳについて標準化されたテーブルセットを選択肢として設けて、各セットに予め定められたテーブルサイズ、予め定められたフィールドを設け、各フィールドに予め定められたサイズを設け、且つ、受信側ＳＳが、提示されているテーブルを特定することができる何らかの方法を設けることができる。
【００２０】
例示されている実施形態では、レガシーフレームの冒頭（レガシープリアンブルを含むＯＦＤＭＡシンボル）と新たなフレームの冒頭（新たなプリアンブルを含むＯＦＤＭＡシンボル）との間の固定されたオフセットを、スーパフレームヘッダが含むようにしてもよい。または、固定されたオフセットは、産業で広く利用されている規格またはネットワークオペレータによりにより指定することもでき、この場合、スーパフレームヘッダ内に含める必要はない。
【００２１】
図５は、本発明の一実施形態によるワイヤレス通信デバイスを示す。デバイス５００は、基地局または加入者局のいずれかを示し、ここで記載する新規な特徴の幾らかまたは全部を有してよい。デバイス５００は、命令を含むメモリ５３０に連結されたベースバンドプロセッサとして集合的に知られている少なくとも１つの媒体アクセス制御（ＭＡＣ）および物理層（ＰＨＹ）プロセッサ５２０を含み、命令は、実行されると、デバイスの他の部分と協働して、デバイスにここで記載する処理を行わせてよい。無線機器５１０は、ベースバンドプロセッサ５２０およびアンテナ５４０に連結されてよい。幾らかの実施形態では、複数のアンテナを含んでよく（アンテナ５４０、５４１、さらに、おそらくは図示されていない他のアンテナも含む）、ＭＩＭＯ（multiple-input multiple-output）および／またはＳＤＭＡ（spatial division multiple access）といったマルチアンテナ通信技術を実現する。
【００２２】
図６Ａから図６Ｃは、本発明の一実施形態によるシステム構成情報を取得する／利用する方法を示すフロー図を示す。この方法は、意図したフレームを基地局（ＢＳ）から受信する加入者局（ＳＳ）により行うことができる。図６Ａのフロー図６００は、ここで記載する技術によりフレームを送信する基地局からシステム構成情報（ＳＣＩ）を取得する方法を示す。図６Ａで言及されているフレームの様々な要素については図３を参照されたい。６１０で、ＳＳは、受信したフレームの新たなプリアンブル上で同期を行い、新たなフレームの冒頭を探す。
【００２３】
新たなプリアンブルの検出に成功すると、ＳＦＨを６１２で受信する。（場合によっては、最初に受信されたプリアンブルが、スーパフレームの最初のフレームに含まれていない場合もあり、この場合にはＳＳは、新たなプリアンブルの直後のＳＦＨを検出するまで、後続するプリアンブルに対して６１０を繰り返す必要がある）。ＳＦＨはＳＣＩを含む。幾らかの実施形態では、ＳＣＩは、ＳＦＨのブロードキャストチャネルセクション内に含まれていてよい。６１４でシステム構成情報をヘッダから取得して、６１６で処理して、必要なパラメータを得る。この情報は後に様々な用途で利用可能となる。図６Ｂおよび図６Ｃは、情報を利用用途を２つ示しているが、様々な実施形態では他の用途に情報を利用することもできる。図６Ｂおよび図６Ｃはそれぞれ、図６Ａへの入口点Ａおよび図６Ａからの出口点Ｂを示している。
【００２４】
図６Ｂは、ＳＣＩを用いて適切な代替ネットワークを探す助けをして、ＳＳを異なるネットワークへ切り替える方法を示す。この切り替えは、１）現在のネットワークが非常に混みあっていること、２）ＳＳが現在のネットワークがカバーする領域から退出すること、３）現在のネットワークが所望の特徴を持たないこと、４）それ以外を含むがこれらに限られない様々な理由から行われてよい。６３０で、ＳＳは現在の基地局以外の基地局からの送信をリッスンしており、これにより基地局が適切なネットワークを制御中であるか否かを判断する。
【００２５】
スーパフレームヘッダがＢＳから受信されると、ＳＳはそのフレームを検査し、図６Ａの処理に従ってそこから関連するＳＣＩを抽出する。ＳＣＩに基づいて、ＳＳは６３５でこの代替ネットワークに参加することが適切か否かを判断することができる。判断が否定的であった場合、ＳＳは６５５で現在のＢＳに戻り、６３０を再開することで別の代替ＢＳ（範囲内に存在する場合）を試す。しかし、ＳＣＩ６３５でこの新たなネットワークを適切であると認めた場合には（この代替ネットワークが適切であると判断するのには他の理由があってもよいが、この判断は本開示の範囲を超えている）、ＳＳは６４０でこの新たなネットワークに参加する試みを行い、６５０でこの新たなネットワーク上で動作する。この参加の試みが失敗すると（６４５参照）、６５５でＳＳは元のＢＳへと再度戻る、もしくは、参加可能な別の代替ネットワークを探し始める。複数のネットワークが範囲内にある場合には、ＳＳは、６３０−６３５−６５５のループを繰り返すことで、これらネットワークから、参加に適した複数のネットワークを判断し、６４０でこれらのネットワークから実際に参加を試みるものを選択してもよい。
【００２６】
図６Ｃは、ＳＣＩを利用して参加に適したネットワークを探す（現在いずれのネットワークにも関与していない場合）、または、再度参加する（スリープモードを退出した後で）助けをする方法を示す。６６０で、ＳＳ（再度参加する場合には現在のＢＳであってよい）は、ＢＳを発見するまでチャネル（１または複数）をモニタして、ＢＳをリッスンする。その後、図６Ａの処理により該ＢＳからＳＣＩを抽出することができる。ＳＣＩがこのネットワークが参加に適していないと判断すると（６６５参照）、ＳＳは、引き続き６８５で、モニタ対象の他のＢＳの検索を行い、候補となるＢＳが発見された時点で処理を再開する。他方、ＳＣＩがこのネットワークを適切であると示している場合には、ＳＳは、６７０で参加／再度参加を試みてよい。参加の試みが成功した場合、ＳＳは６８０でこのネットワーク上で処理し始めてよい。参加の試みが不成功である場合（６７５参照）、ＳＳは６８５で再度別のＢＳを探してよい。この処理は、適切なネットワークに参加するまで何度でも繰り返されてよい。
【００２７】
これまでの記載は例示を目的としており、限定は意図していない。当業者には変形例も可能である。発明の様々な実施形態は、これら変形例を含むことを意図しており、以下の請求項の精神および範囲によってのみ制限される。
【図１】
2011509563.tif 000003
【図２Ａ】
2011509563.tif 000004
【図２Ｂ】
2011509563.tif 000005
【図３】
2011509563.tif 000006
【図４】
2011509563.tif 000007
【図５】
2011509563.tif 000008
【図６Ａ】
2011509563.tif 000009
【図６Ｂ】
2011509563.tif 000010
【図６Ｃ】
2011509563.tif 000011
【手続補正書】
【提出日】平成22年7月29日(2010.7.29)
【手続補正１】
【補正対象書類名】特許請求の範囲
【補正対象項目名】全文
【補正方法】変更
【補正の内容】
【特許請求の範囲】
【請求項１】
プロセッサと、前記プロセッサに連結されたメモリと、前記プロセッサに連結されて直交周波数分割多重アクセス（ＯＦＤＭＡ）ワイヤレスネットワークの複数のサブチャネルを介して無線通信する無線機器とを有する通信デバイスを備え、
前記通信デバイスは、ワイヤレス通信ネットワークにおける通信用の連続する複数のフレームを含むスーパフレームを処理し、
前記複数のフレームの最初のフレームは、前記ネットワーク用のシステム構成情報を、前記最初のフレームの予め定められた位置に含む装置。
【請求項２】
前記予め定められた位置は、レガシーフレームのプリアンブルの冒頭から予め定められた数のシンボル分、オフセットされている請求項１に記載の装置。
【請求項３】
前記予め定められた位置は、スーパフレームヘッダのブロードキャストチャネルセクション内にある請求項２に記載の装置。
【請求項４】
前記スーパフレームヘッダは、前記フレームに設定されている最小所要帯域幅内のサブチャネルのみに含まれる請求項３に記載の装置。
【請求項５】
前記無線機器に連結された複数のアンテナを備える請求項１に記載の装置。
【請求項６】
前記システム構成情報の特定のアイテムは、ｎ個のスーパフレーム毎のみに含まれ、ｎは整数である請求項１に記載の装置。
【請求項７】
ネットワークデバイスで、直交周波数分割多重アクセス（ＯＦＤＭＡ）技術を用いてワイヤレス通信ネットワークにおける通信用の連続する複数のフレームを含むスーパフレームを処理する段階を備え、
前記複数のフレームのうちの特定のフレームは、前記ネットワーク用のシステム構成情報を、最初のフレームの予め定められた位置に含む方法。
【請求項８】
前記特定のフレームは、レガシーフレームと時間的に重複しておりＯＦＤＭＡサブチャネル内にあり、前記特定のフレームは、前記レガシーフレームのプリアンブルとは時間的に別のプリアンブルを含み、
前記特定のフレームの前記プリアンブルは、前記レガシーフレームの前記プリアンブルから予め定められた数のＯＦＤＭＡシンボル分、オフセットされている請求項７に記載の方法。
【請求項９】
前記予め定められた位置は、スーパフレームヘッダのブロードキャストチャネルセクション内にある請求項７に記載の方法。
【請求項１０】
前記スーパフレームヘッダは、前記フレームに設定されている最小所要帯域幅内のサブチャネルのみに含まれる請求項９に記載の方法。
【請求項１１】
特定のシステム構成情報が、ｎ個のスーパフレーム毎という間隔で含まれ、各ｎ個のスーパフレームの間のスーパフレームには含まれず、ｎは整数である請求項７に記載の方法。
【請求項１２】
前記処理する段階は、
基地局から送信される前記スーパフレームを処理する段階を有する請求項７に記載の方法。
【請求項１３】
前記処理する段階は、
加入者局で受信されるスーパフレームを処理する段階を有する請求項７に記載の方法。
【請求項１４】
前記処理する段階は、
対象基地局用の前記システム構成情報の検査の一部である請求項１３に記載の方法。
【請求項１５】
前記処理する段階は、
ネットワークへの再参加のための前記システム構成情報の検査の一部である請求項１３に記載の方法。
【請求項１６】
前記処理する段階は、
スーパフレームヘッダを含む前記スーパフレーム内の前記特定のフレームのみに行われる請求項１３に記載の方法。
【請求項１７】
コンピュータに、
ネットワークデバイスで、直交周波数分割多重アクセス（ＯＦＤＭＡ）技術を用いてワイヤレス通信ネットワークにおける通信用の連続する複数のフレームを含むスーパフレームを処理する動作を行わせるためのプログラムであって、
前記複数のフレームのうちの最初のフレームは、前記ネットワーク用のシステム構成情報を、前記最初のフレームの予め定められた位置に含むプログラム。
【請求項１８】
前記最初のフレームは、レガシーフレームと時間的に重複しており、ＯＦＤＭＡサブチャネル内にあり、
前記最初のフレームは、前記レガシーフレームのプリアンブルから、予め定められた数のＯＦＤＭＡシンボル分、遅延させられたプリアンブルを含む請求項１７に記載のプログラム。
【請求項１９】
前記予め定められた位置は、スーパフレームヘッダのブロードキャストチャネルセクション内にあり、
前記ブロードキャストチャネルセクションは、前記最初のフレームのプリアンブルから、予め定められた数のＯＦＤＭＡシンボル分、離れている請求項１７に記載のプログラム。
【請求項２０】
前記スーパフレームヘッダは、前記フレームに設定されている最小所要帯域幅内のサブチャネルのみに含まれる請求項１９に記載のプログラム。
【請求項２１】
特定のシステム構成情報が、ｍ個のスーパフレーム毎という間隔で含まれ、各ｍ個のスーパフレームの間のスーパフレームには含まれず、ｍは整数である請求項１７に記載のプログラム。
【請求項２２】
前記処理する動作では、基地局から送信される前記スーパフレームが処理される請求項１７に記載のプログラム。
【請求項２３】
前記処理する動作では、加入者局で受信されるスーパフレームが処理される請求項１７に記載のプログラム。
【請求項２４】
前記処理する動作は、対象基地局用の前記システム構成情報の検査の一部である請求項２３に記載のプログラム。
【請求項２５】
前記処理する動作は、ネットワークへの再参加のための前記システム構成情報の検査の一部である請求項２３に記載のプログラム。
【国際調査報告】
2011509563.tif 000012
2011509563.tif 000013